(57)【要約】【課題】  空気清浄機やファンヒーター又はエアコン等の防塵フィルターの内面に配設して稼動させることにより、室内の悪臭及び当該機器の防塵フィルターから発生する悪臭を効率的に吸着して消臭することができ、更には機構的に簡素で価格的にも安価な、消臭フィルターを得る。【解決手段】  適度な面積を有した２枚の不織布２の間に、適度な厚さを有した消臭剤４を挟んで構成する。そして、該消臭フィルター１を空気清浄機やファンヒーター又はエアコン等の防塵フィルターの内面に配設する。なお、消臭フィルター１における不織布２内の消臭剤４として、適度な大きさに粉砕した粒状又は粉状の活性炭又は竹炭が好適である。また、これらを混合したものであっても構わない。【選択図】        図１
0003103464.tif 000002
【実用新案登録請求の範囲】
【請求項１】
適度な面積を有した２枚の不織布（２）の間に消臭剤（４）を適度な厚さに挟んだのち、該不織布（２）の外周部を縫合し、更に、該不織布（２）の面積が広い場合、一辺が５ｃｍ程度の長さのポケットを形成するようにキルティング加工を行って製作し、
または、適度な面積を有した２枚の不織布（２）の間に消臭剤（４）を適度な厚さに挟んだのち、該消臭剤（４）が不織布（２）の端部よりこぼれ出るのを防止するため、２枚の不織布（２）を高周波処理により貼り合わせ、又は接着材により張り合わせて製作したことを特徴とする、消臭フィルター。
【請求項２】
上記消臭フィルター（１）が、空気清浄機やファンヒーター又はエアコン等の防塵フィルターの内面に装着可能な構造としたことを特徴とする、請求項１に記載の消臭フィルター。
【請求項３】
上記消臭剤（４）が、粒状又は粉状の活性炭又は竹炭の少なくとも１つであることを特徴とする、請求項１及び請求項２に記載の消臭フィルター。
【考案の詳細な説明】
【技術分野】
【０００１】  本考案は、空気清浄機やファンヒーター又はエアコン等の防塵フィルターの内面に配設して稼動させることにより、室内の悪臭及び当該機器の防塵フィルターから発生する悪臭を効率的に吸着して消臭することができる、消臭フィルターに関するものである。
【背景技術】
【０００２】  従来、家庭や事業所等の室内において当該室内の空気を循環させることにより効果を得る機器又は効果を得るために空気が循環する機器として、下記のようなものがある。
（１）室内の塵埃及びプラスイオンの除去等を行う空気清浄機
（２）上記空気清浄機にマイナスイオンを発生させる機能を持たせたマイナスイオン発生器
（３）温風を発生するセラミックファンヒーターや石油ファンヒーター又はガスファンヒーター
（４）室内の冷暖房を行うエアコン
（５）電気掃除機など【０００３】  上記各機器は、室内の空気を吸入し防塵フィルターで空気中の塵埃を除去したのち、空気清浄機においてはプラスイオンを除去した新鮮な空気を放出し、マイナスイオン発生器においてはマイナスイオンを付加した新鮮な空気を放出し、セラミックファンヒーターや石油ファンヒーター又はガスファンヒーターにおいては空気を温めて放出し、エアコンにおいては空気を冷却し又は温めて放出するものである。また、電気掃除機においては空気と共に塵埃を吸入し、該塵埃をフィルター袋や容器内に残して排気を行うものである。
【考案の開示】
【考案が解決しようとする課題】
【０００４】  上記各機器において、比較的最近の機種又は高性能機種の場合は、防塵フィルターのほかに消臭フィルターが予め装着されているものが多いが、旧型機種又は廉価機種の場合には、単にナイロン製の網や紙又は布製の防塵フィルターが装着されているに過ぎない。該ナイロン製網や紙又は布製防塵フィルターには、空気中に浮遊している塵埃のほかにタバコの煙粒子，ダニの死骸，花粉，ペットの毛，カビ菌などのいわゆるハウスダストが付着して蓄積する。そして、該ハウスダストから悪臭が発生すると共に、付着物に湿気等による水分が付着することによりカビ菌が繁殖してカビ臭等の悪臭が発生するという問題点があった。【０００５】  該悪臭を除去するため、活性炭等により悪臭を吸着して消臭を行う消臭具を室内に配設したり、柑橘類やハーブ類の香りにより悪臭をマスキングして消臭を行う室内用芳香剤を配設しているが、悪臭の発生源に配設するものではないため、上記各機器の稼動開始時においてはより強い悪臭が感じられるという問題点もあった。【０００６】  本考案は、以上のような問題点を解決するために成されたものであり、空気清浄機やファンヒーター又はエアコン等の防塵フィルターの内面に配設して稼動させることにより、室内の悪臭及び当該機器の防塵フィルターから発生する悪臭を効率的に吸着して消臭することができ、更には機構的に簡素で価格的にも安価な、消臭フィルターを提供することを目的とする。
【課題を解決するための手段】
【０００７】  上記課題を解決するため、本考案の消臭フィルターにおいては、適度な面積を有した２枚の不織布の間に、適度な厚さを有した消臭剤を挟んで構成する。そして、該消臭フィルターを空気清浄機やファンヒーター又はエアコン等の防塵フィルターの内面に配設する。
【考案の効果】
【０００８】  本考案の消臭フィルターを、消臭フィルターのない空気清浄機やファンヒーター又はエアコン等の防塵フィルターの内面に配設して稼動させれば、室内の悪臭及び当該防塵フィルターから発生するカビ臭等の悪臭のある空気を強制的に消臭フィルターを通過させることができるため、該消臭フィルター内の消臭剤により悪臭を効率的に吸着して消臭することができるという効果を奏する。また、製造手段として２枚の不織布の間に消臭剤を挟んだだけの構造であるため、機構的に簡素であり価格的にも安価に製造することができ、消臭フィルターのない空気清浄機やファンヒーター又はエアコン等の防塵フィルターの内面に容易に配設して使用することができるという効果を奏する。
【考案を実施するための最良の形態】
【０００９】  本考案の消臭フィルターの製作を実施するための最良の形態を図を用いて説明する。図１は、本考案の消臭フィルターの第一実施形態例における外形図であり、（ａ）は正面図，（ｂ）は側面図である。図２は、図１におけるａ−ａ拡大断面図である。【００１０】  該図においては、適度な面積を有した２枚の不織布２の間に消臭剤４を適度な厚さに挟んだのち、該不織布２の外周部を縫合して消臭フィルター１を製作する。この時、該縫合部から消臭剤４がこぼれ出るのを防止したり、縫合部の糸がほつれるのを防止するため、外周部をバイアステープ３で覆って縫合すると好適である。更には、該バイアステープ３を用いると仕上げ外観も良くなり、商品価値も向上することになる。【００１１】  また、該不織布２の面積が広い場合、一辺が５ｃｍ程度の長さのポケットを形成するようにキルティング加工を行って消臭フィルター１を製作すると、図２に示すように、各ポケット内の消臭剤４は両面の不織布２によりポケット内で保持されるため、偏ることがなくなり好適である。なお、図１の実施形態例では、キルティキング加工により横方向に２個、縦方向に４個の計８個のポケットを有した消臭フィルター１を描いているが、使用対象機器により消臭フィルター１の大きさは異なるため、キルティング加工における横方向及び縦方向のポケットの数は任意で構わない。【００１２】  また、図３は、本考案の消臭フィルターの第二実施形態例における外形図であり、（ａ）は正面図，（ｂ）は側面図である。図４は、図３におけるｂ−ｂ拡大断面図である。【００１３】  該図においては、適度な面積を有した２枚の不織布２の間に消臭剤４を適度な厚さに挟んだのち、該消臭剤４が不織布２の端部よりこぼれ出るのを防止するため、２枚の不織布２を高周波処理により貼り合わせ、又は接着材により張り合わせて消臭フィルター１を製作する。この場合、定尺物の大きな消臭フィルター１を予め製作しておき、用途に合わせて裁断するのが好適である。【００１４】  上記消臭フィルター１における不織布２内の消臭剤４として、適度な大きさに粉砕した粒状又は粉状の活性炭又は竹炭が好適である。また、これらを混合したものであっても構わない。
【実施例１】
【００１５】  本考案の実施例を図を用いて説明する。図５は本考案の消臭フィルターを防塵フィルターに装着する時の状態図を示し、図６は本考案の消臭フィルターの一使用実施例としてセラミックファンヒーター６での使用例を示している。【００１６】  セラミックファンヒーター６の側面には吸気口７があり、該吸気口７の内側には防塵フィルター５が配設されている。ここで、図５に示すように、防塵フィルター５の内側に消臭フィルター１を装着して吸気口７に配設する。なお、消臭フィルター１の防塵フィルター５の内側への装着方法としては特に限定するものではなく、従来技術における一般的方法で構わない。【００１７】  次に、セラミックファンヒーター６を稼動すると、セラミックファンヒーター６の側面にある吸気口７より室内の悪臭のある空気９は当該セラミックファンヒーター６内のブロワー（図示せず）により強制吸入される。そして、該悪臭のある空気及び吸気口７の内側に配設された防塵フィルター５から発生する悪臭は、防塵フィルター５の後部にある消臭フィルター１を通過する。この時、該消臭フィルター１内の消臭剤４により悪臭を吸着し、清潔な温風１０として排気口８より排出することができる。【００１８】  上記のようにして、一定時間当該セラミックファンヒーター６を稼動することにより、室内の空気９はセラミックファンヒーター６内の消臭フィルター１を経由して循環し、該過程において室内の悪臭のある空気９は悪臭のない清潔な温風１０として排気口８より排出される。この時、室内の空気９中にある悪臭分子及び防塵フィルター５から発生する悪臭分子は、消臭フィルター１内の消臭剤４により効率的に吸着されて悪臭を消臭することができることになる。【００１９】  なお、消臭フィルター１の長時間に渡る使用により消臭能力が低下した場合には、新しい消臭フィルター１と交換することにより、機器の消臭能力を復活させることができる。
【産業上の利用可能性】
【００２０】  上記説明では、本考案の消臭フィルターをセラミックファンヒーターに適応させた実施例として説明したが、室内の空気を循環させる機器として空気清浄機，マイナスイオン発生器，エアコン及び電気掃除機等でも同様の原理で利用することが可能である。
【図面の簡単な説明】
【００２１】
【図１】本考案の消臭フィルターの第一実施形態例における外形図である。
【図２】図１におけるａ−ａ拡大断面図である。
【図３】本考案の消臭フィルターの第二実施形態例における外形図である。
【図４】図３におけるｂ−ｂ拡大断面図である。
【図５】本考案の消臭フィルターを防塵フィルターに装着する時の状態図である。
【図６】本考案の消臭フィルターの一使用実施例である。
【符号の説明】
【００２０】    １  消臭フィルター
２  不織布
３  バイアステープ
４  消臭剤
５  防塵フィルター
６  セラミックヒーター
７  吸気口
８  排気口
９  空気
１０  温風
【図１】
0003103464.tif 000003
【図２】
0003103464.tif 000004
【図３】
0003103464.tif 000005
【図４】
0003103464.tif 000006
【図５】
0003103464.tif 000007
【図６】
0003103464.tif 000008